(57)【要約】      （修正有）【課題】片面側の凹形状を物品収容空間側に配置でき、物品輸送時の内容積を大きくすることができる組み立て式コンテナを提供する。【解決手段】パレット１０上に複数の側板１４、１５、１６、１７が周壁状に立設される組立形状下でこれらに取り囲まれた物品収容空間１８が形成される組み立て式コンテナであって、側板１４−１７が、外周枠部４１ａ、６１ａを有する枠材４１、６１と、それらの片面側に一体的に結合された側面材４２、６２とを含んで構成されるとともに、外周枠部４１ａ、６１ａが、枠材４１、６１の内周側に開く凹状の横断面形状をなしており、組立形状下の側面材４２、６２が、枠材４１、６１に対して物品収容空間１８側から離れる外面側に位置するとともに、組立形状下の外周枠部４１ａ、６１ａが、物品収容空間１８側に近い内面側部分の内周縁側で側面材４２に最も近接する曲げ形状を有している。【選択図】図１
0003215919.tif 000002
【実用新案登録請求の範囲】
【請求項１】
パレット上に複数の側板が周壁状に立設される組立形状下で前記複数の側板に取り囲まれた物品収容空間が形成される組み立て式コンテナであって、
前記側板が、外周枠部を有する枠材と、前記枠材の片面側に一体的に結合された側面材とを含んで構成されるとともに、前記外周枠部が、前記枠材の内周側に開く凹状の横断面形状をなしており、
前記組立形状下の前記側面材が、前記枠材に対して前記物品収容空間側から離れる外面側に位置するとともに、前記組立形状下の前記外周枠部が、前記物品収容空間側に近い内面側部分の内周縁側で前記側面材に最も近接する曲げ形状を有していることを特徴とする組み立て式コンテナ。
【請求項２】
前記外周枠部が、前記組立形状下の鉛直方向の上方側と下方側とで互いに異なる凹断面形状を有していることを特徴とする請求項１に記載の組み立て式コンテナ。
【請求項３】
前記外周枠部が、前記内面側部分の内周縁側よりも外周側に互いに平行な内外の平行面部を有していることを特徴とする請求項１または２に記載の組み立て式コンテナ。
【請求項４】
前記複数の側板が、前記組立形状下で四面の角筒状をなすとともに、互いに対面する一対の第１の側板と、該第１の側板の間で互いに対面する一対の第２の側板とによって構成されていることを特徴とする請求項１ないし３のいずれか一項に記載の組み立て式コンテナ。
【請求項５】
前記外周枠部が、前記鉛直方向上方側の前記内面側部分にて前記外面に対し略平行な平行部分と、該平行部分に一体に結合するとともに前記内周縁側に近付くほど前記側面材に近接するよう前記平行部分に対し傾斜した傾斜部分とを有していることを特徴とする請求項１ないし４のいずれか一項に記載の組み立て式コンテナ。
【請求項６】
前記外周枠部が、前記鉛直方向下方側の前記内面側部分にて前記外面に対し略平行な平行部分と、該平行部分に一体に結合するとともに前記内周縁側で前記側面材に近接するよう前記平行部分に対し略直交する直交部分とを有していることを特徴とする請求項１ないし４のいずれか一項に記載の組み立て式コンテナ。
【考案の詳細な説明】
【技術分野】
【０００１】
本考案は、物流搬送用の組み立て式コンテナに関し、特に物品収容空間を複数の側板で取り囲む組み立て式コンテナに関する。
【背景技術】
【０００２】
従来、輸送時や荷役作業時にはパレット上に周壁状に側板を立設して内部に物品収容空間を有するコンテナ形状に組み立てる一方、返送時等には側板を分解したり折り畳んだりしてコンテナサイズを縮小できるようにした組み立て式コンテナが多用されている。
【０００３】
そのような組み立て式コンテナとしては、例えばフォークリフトでの取り扱いが可能なパレットの上面に下金枠を固定し、その下金枠の内側に四面のパネル状の側板を立設して内部に物品収容空間を形成することで、所定のコンテナ形状とするようにしたものが知られている（例えば、特許文献１参照）。
【０００４】
このコンテナでは、図９に示すように、各パネル状の側板１０１の外周部分を横断面が折り曲げ形状をなす比較的高剛性の枠材１０２で構成し、その枠材１０２に相対的に薄く軽量な側面材１０３を一体に結合させている。また、固定板１０４の内側縁部１０４ａを枠材１０２の縦枠部分１０２ａと横枠部分１０２ｂの間のスリット部分１０２ｃに挿入する状態で、固定板１０４を枠材１０２にリベット固定するようになっている。
【先行技術文献】
【特許文献】
【０００５】
【特許文献１】実用新案登録第３２０１４６５号公報
【考案の概要】
【考案が解決しようとする課題】
【０００６】
しかしながら、上述のような従来の組み立て式コンテナにあっては、枠材１０２とそれに一体に結合された側面材１０３とで構成されるパネル状の側板１０１が片面側で平坦に、他の片面側で凹形状になるものであり、かつ、各側板１０１の物品収容空間側の面が平坦となる立設形態が採られていたため、コンテナ内部の容積が狭められてしまうという問題があった。
【０００７】
すなわち、枠材同士や枠材と他の側板との連結（相互の固定）構造上の要請あるいは側板の曲げ加工上の要請等といった面から、外周側の枠材の横断面が枠材の内周側にあるいは物品収容空間側に開く曲げ形状となる場合に、物品収容空間側に位置する各側板の内壁面が平坦面側とされることで、コンテナ内部の容積が狭められていた。
【０００８】
そこで、本考案は、片面側の凹形状を物品収容空間側に配置でき、物品輸送時の内容積を大きくすることができる組み立て式コンテナを提供することを目的とする。
【課題を解決するための手段】
【０００９】
本考案は、上記目的達成のため、パレット上に複数の側板が周壁状に立設される組立形状下で前記複数の側板に取り囲まれた物品収容空間が形成される組み立て式コンテナであって、前記側板が、外周枠部を有する枠材と、前記枠材の片面側に一体的に結合された側面材とを含んで構成されるとともに、前記外周枠部が、前記枠材の内周側に開く凹状の横断面形状をなしており、前記組立形状下の前記側面材が、前記枠材に対して前記物品収容空間側から離れる外面側に位置するとともに、前記組立形状下の前記外周枠部が、前記物品収容空間側に近い内面側部分の内周縁側で前記側面材に最も近接する曲げ形状を有している。
【００１０】
本考案では、パレット上に複数の側板が周壁状に立設される組立形状下で、側面材が枠材の外面側に位置する。したがって、その組立形状下で、複数の側板に取り囲まれた物品収容空間が枠材の外周枠部で囲まれた凹状部分に入り込み、物品収容空間の容積が増大することになる。しかも、その組立形状下の外周枠部が、物品収容空間側に近い内面側部分の内周縁側で側面材に最も近接する曲げ形状を有しているので、枠材の曲げ剛性が高められるとともに、収容物品等の保護機能も高まることになる。
【００１１】
本考案においては、前記外周枠部が、前記組立形状下の鉛直方向の上方側と下方側とで互いに異なる凹断面形状を有しているものであってもよい。また、前記外周枠部が、前記内面側部分の内周縁側よりも外周側に互いに平行な内外の平行面部を有しているものであってもよい。さらに、前記複数の側板が、前記組立形状下で四面の角筒状をなすとともに、互いに対面する一対の第１の側板と、該第１の側板の間で互いに対面する一対の第２の側板とによって構成されていてもよい。勿論、本考案の組み立て式コンテナは、組立形状下で複数の側板の鉛直方向の上端側に係合する上蓋を併有するものであってもよい。
【００１２】
本考案においては、また、前記外周枠部が、前記鉛直方向上方側の前記内面側部分にて前記外面に対し略平行な平行部分と、該平行部分に一体に結合するとともに前記内周縁側に近付くほど前記側面材に近接するよう前記平行部分に対し傾斜した傾斜部分とを有していてもよい。あるいは、前記外周枠部が、前記鉛直方向下方側の前記内面側部分にて前記外面に対し略平行な平行部分と、該平行部分に一体に結合するとともに前記内周縁側で前記側面材に近接するよう前記平行部分に対し略直交する直交部分とを有していてもよい。外周枠部が傾斜部分を有する前者の場合、側板をコンテナの開方向に回動させて収容物を外に出し易くすることができ、外周枠部が直交部分を有する後者の場合、内容物が傷付くのを有効に抑制できることになる。
【考案の効果】
【００１３】
本考案によれば、片面側の凹形状を物品収容空間側に配置でき、物品輸送時の内容積を大きくすることができる組み立て式コンテナを提供することができる。
【図面の簡単な説明】
【００１４】
【図１】本考案の一実施の形態に係る組み立て式コンテナの複数の側板をパレット上に周壁状に立設する段階を示す斜視図である。
【図２】図１中の側板同士の相互連結による固定部分を拡大した部分拡大斜視図である。
【図３】本考案の一実施の形態に係る組み立て式コンテナのパレット上に立設された周壁状の側板の縦断面図である。
【図４】本考案の一実施の形態に係る組み立て式コンテナにおける側板の外面図である。
【図５】本考案の一実施の形態に係る組み立て式コンテナにおける側板の内面図である。
【図６】図４中のＶＩ−ＶＩ断面図である。
【図７】本考案の一実施の形態に係る組み立て式コンテナの上蓋装着状態の側面図である。
【図８】本考案の他の実施の形態に係る組み立て式コンテナにおける側板の要部断面図である。
【図９】従来例の組み立て式コンテナの部分分解斜視図である。
【考案を実施するための形態】
【００１５】
以下、本考案を実施するための形態について、図面を参照しつつ説明する。
【００１６】
図１ないし図７は、本考案の一実施の形態に係る組み立て式コンテナを示している。
【００１７】
まず、構成について説明する。
【００１８】
図１ないし図７に示すように、本実施形態の組み立て式コンテナ１（以下、単にコンテナ１という）は、パレット１０と、そのパレット１０上に固定された下金枠２０と、下金枠２０内でパレット１０上に載置される底板１３と、下金枠２０の内側に接するよう四角筒状（四面構成の周壁状）に立設される複数の側板１４、１５、１６、１７と、これら周壁状に立設された複数の側板１４−１７の上端開口部分を上方から塞ぐ上蓋１９（図７参照）と、を有している。
【００１９】
このコンテナ１は、パレット１０上に複数の側板１４−１７が周壁状に立設された組立形状下で、複数の側板１４−１７に取り囲まれた物品収容空間１８を形成するものであり、その物品収容空間１８内に所定の物品（例えば、収容形状がコンテナ１の内容積に応じて変化し得る物品もしくは物品群）を収容できるようになっている。
【００２０】
パレット１０は、コンテナ１の基台であって、フォークリフト等による荷役作業が可能な運搬台であり、その台部１１の形状や脚部１２の配置は任意である。
【００２１】
下金枠２０は、複数の金属部材を用い溶接によって一体化された矩形枠体であり、パレット１０の上面に重ねられて固定されている。この下金枠２０は、コンテナ１の組立時に建て付けられ相互に連結される四つの側板１４−１７の各下辺部を外側に広がらないように支持するようになっている。
【００２２】
また、下金枠２０は、コンテナ１の返送等のために周壁状の四つの側板１４−１７の連結が解かれる分解時においてもパレット１０に固定されたままであり、分解された四つの側板１４−１７を底板１３上の所定高さ位置に倒して収納できるようになっている。
【００２３】
具体的には、下金枠２０は、パレット１０上の四隅に配置される四つのコーナー金具２１と、パレット１０上に平行に対向配置され、四つのコーナー金具２１に一体に結合された一対の第１の連結金枠２２と、第１の連結金枠２２に対し直交するよう四つのコーナー金具２１に一体に結合され、互いに平行に対向する一対の第２の連結金枠２３と、を有している。
【００２４】
ここで、四隅のコーナー金具２１は、４面の角筒状に相互連結された側板１４−１７の四隅の各下部を案内し、およびパレット１０上に係止する状態に保持することできる公知のものであり、一対の第１の連結金枠２２および一対の第２の連結金枠２３と協働して、角筒状に相互連結された側板１４−１７の下部を位置決め保持するようになっている。
【００２５】
側板１４−１７は、コンテナ１の組立形状下で四角筒状のパネル形状をなすよう、互いに対面する一対の第１の側板１４、１５と、これら第１の側板１４、１５の間で互いに対面する一対の第２の側板１６、１７とによって構成されている。
【００２６】
第１の側板１４、１５は、それぞれ、外周枠部４１ａを有する枠材４１と、枠材４１の片面側に一体的に結合された側面材４２とを含んで構成されている。また、第２の側板１６、１７は、それぞれ、外周枠部６１ａを有する枠材６１と、枠材６１の片面側に一体的に結合された側面材６２とを含んで構成されている。
【００２７】
また、複数の側板１４―１７は、コンテナ１の組立形状下における側面材４２、６２が枠材４１、６１に対して物品収容空間１８側から離れる外面側に位置するように形状設定されており、第１の側板１４、１５は枠材４１の内方の略全域に及ぶ凹状部分Ｃ１を、第２の側板１６、１７は枠材６１の内方の略全域に及ぶ凹状部分Ｃ２を、それぞれ物品収容空間１８側に開くように形成している。
【００２８】
枠材４１、６１の外周枠部４１ａ、６１ａは、それぞれ一対の平行な縦枠部分４３、６３と、それぞれ一対の平行な横枠部分４４、６４とを有しており、枠材４１、６１のそれぞれの隅部における縦枠部分４３、６３および横枠部分４４、６４の近接端部同士は、連結金具４５、６５によって連結されている。
【００２９】
図１および図２に示すように、第１の側板１４は、その枠材４１の両側端側で一対の縦枠部分４３に沿って延びる一対の所定幅の固定板５１を有しており、側板１４−１７が角筒状に立設されるとき、第１の側板１４の一対の固定板５１は、第２の側板１６、１７の一方の側端部外面部分にそれぞれ当接するとともに、各第２の側板１６、１７の一方の側端部外面部分に設けられた位置決めピン５２を嵌合させることで、第２の側板１６、１７に対して鉛直方向の位置決めがなされるようになっている。
【００３０】
同様に、第１の側板１５も、その枠材４１の両側端側に一対の所定幅の固定板５１を有しており、側板１４−１７が角筒状に立設されるとき、一対の固定板５１を介して、第２の側板１６、１７に対して鉛直方向の位置決めがなされるようになっている。
【００３１】
また、各第２の側板１６、１７の両側端部外面部分に設けられた一対の位置決めピン５２の近傍には、対応する位置決めピン５２に嵌合する固定板５１に抜け止め係合して、その第２の側板１６または１７を第１の側板１４または１５に対して位置決め固定することができる固定機構７０が装着されている。
【００３２】
図２に示すように、この固定機構７０は、例えば丸落とし金具タイプのもので、各第２の側板１６、１７に固定された固定金具７１と、固定金具７１に摺動可能に保持され、対応する位置決めピン５２に接近する固定側停止位置と位置決めピン５２から離隔する解除側停止位置とに移動可能なストッパ付のスライドピン７２とを有している。
【００３３】
図３ないし図６に示すように、第１の側板１４、１５の枠材４１は、それぞれの外周枠部４１ａが内周側に開く凹状の横断面形状をなしており、同様に、第２の側板１６、１７の枠材６１は、それぞれの外周枠部６１ａが枠材６１の内周側に開く凹状の横断面形状をなしている。
【００３４】
そして、コンテナ１の組立形状下において、第１の側板１４、１５の側面材４２は、それぞれ対応する枠材４１に対して物品収容空間１８側から離れる外面側（図６中の右側）に位置し、同様に、第２の側板１６、１７の側面材６２も、それぞれ対応する枠材６１に対して物品収容空間１８側から離れる外面側に位置している。
【００３５】
枠材４１の外周枠部４１ａの各横枠部分４４は、物品収容空間１８側に近いそれぞれの内面側部分４４ａの内周縁４４ｂ側で側面材４２に最も近接する曲げ形状を有している。また、外周枠部４１ａの各縦枠部分４３は、固定板５１で構成されているが、横枠部分４４と略同様に物品収容空間１８側に近い内面側部分の曲げ先端側で側面材４２に最も近接する曲げ形状を有していてもよい。
【００３６】
さらに、枠材４１の外周枠部４１ａにおいては、一対の平行な横枠部分４４のうちコンテナ１の組立形状下の鉛直方向の上方側の横枠部分４４Ｕと下方側の横枠部分４４Ｌとが、互いに異なる凹断面形状を有している。
【００３７】
具体的には、図６に示すように、各枠材４１の上方側の横枠部分４４Ｕは、その内面側部分４４ａのうち内周縁４４ｂ側の曲げ先端部分４４ｃよりも外周側で、互いに平行な内外の平行面部４４ｄ、４４ｅを有する略コの字形の横断面形状をなしている。そして、上方側の横枠部分４４Ｕの曲げ先端部分４４ｃは、内面側部分４４ａの平行面部４４ｄに対して曲げ内側の角度θ１が１８０°未満、例えば１３５°以下となっている。すなわち、上方側の横枠部分４４Ｕは、外周枠部４１ａの鉛直方向上方側の内面側部分４４ａにて外面に対し略平行な外側の平行面部４４ｄ（平行部分）と、その平行面部４４ｄに一体に結合するとともに内周縁４４ｂ側に近付くほど側面材４２に近接するよう平行面部４４ｄに対し傾斜した傾斜部分とを有している。
【００３８】
一方、各枠材４１の下方側の横枠部分４４Ｌは、その内面側部分４４ｇのうち内周縁４４ｈ側の曲げ先端部分４４ｉよりも外周側で、互いに平行な内外の平行面部４４ｊ、４４ｋを有する略コの字形の横断面形状をなしている。そして、下方側の横枠部分４４Ｌの曲げ先端部分４４ｉは、内面側部分４４ｇの平行面部４４ｊに対して曲げ内側の角度θ２が角度θ１より小さい角度（曲げは大きくなる角度）、例えば９０°程度となっている。すなわち、下方側の横枠部分４４Ｌは、鉛直方向下方側の内面側部分４４ｇにて側面材４２の外面に対し略平行な平行面部４４ｊ（平行部分）と、その平行面部４４ｊに一体に結合するとともに内周縁４４ｈ側で側面材４２に近接するよう平行面部４４ｊに対し略直交する直交部分とを有している。
【００３９】
枠材４１の外周枠部４１ａの各縦枠部分４３は、例えば上方側の横枠部分４４Ｕと同様な横断面形状を有しているが、下方側の横枠部分４４Ｌと同様な横断面形状を有するものであってもよいし、その内面側部分の内周縁側で側面材４２に最も近接する他の曲げ形状となってもよい。
【００４０】
また、外周枠部４１ａの各横枠部分４４（上方側の横枠部分４４Ｕもしくは下方側の横枠部分４４Ｌ）は、それぞれ内外の平行面部４４ｄ、４４ｅ、４４ｊ、４４ｋのうち外面側の平行面部４４ｅ、４４ｋが内周側（図３中の上下方向）に広くなっており、外面側の平行面部４４ｅ、４４ｋが側面材４２に例えばスポット溶接（図４、図６中の黒丸部）により一体的に結合されている。同様に、外周枠部４１ａの各縦枠部分４３も、外面側の平行面部（符号なし）が側面材４２にスポット溶接により一体的に結合されている。
【００４１】
図７に示すように、本実施形態のコンテナ１においては、組立形状下で角筒状に立設される複数の側板１４−１７の上端開口部分は、上蓋１９によって上方から塞がれるが、上蓋１９には、その上蓋１９を四つの側板１４−１７の上端面から外れないように固定するためのゴム掛け式掛止機構３０が設けられている。
【００４２】
ゴム掛け式掛止機構３０は、略四角形の上蓋１９の対向する二辺部の外面に沿って設けられ、その両端を上蓋１９の枠部１９ｆに係止されたゴムバンド３１と、このゴムバンド３１に保持されたフック付係止金具３２と、対向する一対の側板１４、１５あるいは側板１６、１７の上部中央に設けられフック付係止金具３２が離脱可能に係止される輸送時上蓋係止用の第１の固定側係止金具３３と、下金枠２０の前後または左右の一対の外側面中央部に設けられフック付係止金具３２が離脱可能に係止される返送時上蓋係止用の第２の固定側係止金具３４とを有している。なお、図１に示すように、一対の側板１６、１７あるいは側板１４、１５の上部中央に他の蓋部固定機構３５を設けてもよい。
【００４３】
次に、作用について説明する。
【００４４】
上述のように構成された本実施形態の組み立て式コンテナ１においては、パレット１０上に複数の側板１４−１７が角筒状に立設される組立形状下で、それぞれの側面材４２、６２が枠材４１、６１の外面側に位置する。したがって、そのコンテナ１の組立形状下で、複数の側板１４−１７に取り囲まれた物品収容空間１８が第１の側板１４、１５の凹状部分Ｃ１および第２の側板１６、１７の凹状部分Ｃ２に入り込むことによって、物品収容空間１８の容積が増大することになる。
【００４５】
しかも、そのコンテナ１の組立形状下の第１の側板１４、１５における枠材４１の外周枠部４１ａが、物品収容空間１８側に近い内面側部分４４ａ、４４ｇの曲げ先端部分で側面材４２に最も近接する曲げ形状を有し、第２の側板１６、１７も略同様な曲げ形状を有しているので、枠材４１、６１の曲げ剛性が高められるとともに、コンテナ１内の収容物品等に対する保護機能も高まることになる。
【００４６】
また、本実施形態では、外周枠部４１ａ、６１ａが、コンテナ１の組立形状下における複数の側板１４−１７の鉛直方向の上方側の横枠部分４４Ｕと下方側の横枠部分４４Ｌとでそれぞれ内周側に開くものの互いに異なる凹断面形状を有している。したがって、角筒状に相互連結される複数の側板１４−１７の上部と下金枠２０により案内保持される複数の側板１４−１７の下部とで要求されるそれぞれの剛性や組立作業時の取扱いの容易性等に適した断面形状が容易に設定できる。
【００４７】
さらに、本実施形態では、枠材４１、６１の外周枠部４１ａ、６１ａが、曲げ先端部分４４ｃ、４４ｉ等よりも外周側に互いに平行な内外の平行面部４４ｄ、４４ｅ、４４ｊ、４４ｋ等を有しており、各側板１４−１７の鉛直方向の上端面Ｌ１および下端面Ｌ２、Ｌ３（図３参照）がそれぞれ平坦に形成される。したがって、下金枠２０による安定支持や上蓋１９の安定装着が可能となる。
【００４８】
加えて、複数の側板１４−１７が、組立形状下で四面の角筒状をなすとともに、互いに対面する一対の第１の側板１４、１５と、これら第１の側板１４、１５の間で互いに対面する一対の第２の側板１６、１７とによって構成されている。したがって、第１の側板１４、１５の下端面Ｌ２と第２の側板１６、１７の下端面Ｌ３の高さを相違させることで、例えば下端面Ｌ３の高さが低い第２の側板１６、１７の下端部が内方側に入り込むのを下金枠２０によって規制するとともに、それら第２の側板１６、１７によって他の一対の第１の側板１４、１５の下端部が内方側に入り込むのを規制することができ、角筒状に相互連結される複数の側板１４−１７からなる周壁の剛性を高めることができる。勿論、第２の側板１６、１７側の凹状部分Ｃ２を下方側に広くできることはいうまでもない。
【００４９】
また、本実施形態の組み立て式コンテナ１は、組立形状下で複数の側板１４−１７の鉛直方向の上端側に係合する上蓋１９を併有している。したがって、複数の側板１４−１７からなる周壁の上部開口を閉止するだけでなく、複数の側板１４−１７の上端部が外方側に変位するのをより確実に規制でき、軽量なパネル状の側板１４−１７を用いながらも、高剛性の組み立て式コンテナ１を提供することができる。
【００５０】
本実施形態では、また、枠材４１の鉛直方向上端側に位置する外周枠部４１ａの曲げ先端部分４４ｃが、平行面部４４ｄから内周縁４４ｂ側に近付くほど側面材４２に近接するよう平行面部４４ｄに対し傾斜した傾斜部分を有しているので、側板１４をコンテナ１の開方向に回動させて収容物を外に出し易くすることができる。しかも、枠材４１の鉛直方向下端側に位置する外周枠部４１ａの曲げ先端側部分４４ｉが、内周縁４４ｈ側で側面材４２に近接するよう平行面部４４ｊに対し略直交する直交部分となっているので、コンテナ１の内容物が外周枠部４１ａに接触して傷付くことも有効に抑制できることになる。
【００５１】
このように、本実施形態においては、側板１４−１７の枠材４１、６１が内側（内周側および内面側）に開く凹断面形状を有するような場合でも、側板１４−１７の片面側の凹状部分Ｃ１、Ｃ２のような凹形状を物品収容空間１８側に配置でき、物品輸送時の内容積を大きくすることができる組み立て式コンテナを提供することができる。
【００５２】
なお、上述の一実施形態においては、側板１４−１７の枠材４１、６１に側面材４２、６２をスポット溶接等により一体的に結合させるものとしたが、図８に示すように、第１の側板１４、１５の枠材４１は、側面材４２と同一の板金素材で一体に形成され、その周辺部を曲げ加工されたものであってもよいし、第２の側板１６、１７の枠材６１も、側面材６２と同一の板金素材で一体に形成され、その周辺部を曲げ加工されたものでもよい。
【００５３】
また、上述の一実施形態においては、組み立て式コンテナ１は、複数、例えば４枚の平坦なパネル状の側板１４―１７によって角筒状（上蓋１９を含め直方体形状）のコンテナ１を構成するものとしたが、平坦な３枚以上の側板によって多角形の筒状の周壁が形成されるものであってもよいし、湾曲、例えば円弧端面に湾曲した複数の側板によって円筒状その他の非多角形の筒状の周壁を有するようにしてもよい。
【００５４】
さらに、上述の一実施形態においては、固定機構７０をいわゆる丸落とし金具タイプのものとしたが、隣り合う側板同士を相互に拘束する任意の係止機構を採用することができることは勿論である。さらに、第１の側板１４、１５の凹状部分Ｃ１および第２の側板１６、１７の凹状部分Ｃ２は、それぞれ仕切り板や他の枠材によって複数に分割されてもよい。
【００５５】
以上説明したように、本考案の組み立て式コンテナは、片面側の凹形状を物品収容空間側に配置でき、物品輸送時の内容積を大きくすることができる組み立て式コンテナを提供することができるものであり、物品収容空間を複数の側板で取り囲む組み立て式コンテナ全般に有用である。
【符号の説明】
【００５６】
１  コンテナ（組み立て式コンテナ）
１０  パレット
１１  台部
１２  脚部
１３  底板
１４、１５  側板（第１の側板）
１６、１７  側板（第２の側板）
１８  物品収容空間
１９  上蓋
１９ｆ  枠部
２０  下金枠
２１  コーナー金具
２２  第１の連結金枠
２３  第２の連結金枠
３０  ゴム掛け式掛止機構
３１  ゴムバンド
３２  フック付係止金具
３３  第１の固定側係止金具
３４  第２の固定側係止金具
４１、６１  枠材
４１ａ、６１ａ  外周枠部
４２、６２  側面材
４３、６３  縦枠部分
４４、６４  横枠部分
４４ａ、４４ｇ、６３ａ、６４ａ  内面側部分
４４ｂ、４４ｈ  内周縁
４４ｃ、４４ｉ、６３ｃ、６４ｃ  曲げ先端部分
４４ｄ、４４ｅ、４４ｊ、４４ｋ  平行面部
４４Ｌ  横枠部分（下方側の横枠部分）
４４Ｕ  横枠部分（上方側の横枠部分）
４５、６５  連結金具
５１  固定板
５２  位置決めピン
７０  固定機構
７１  固定金具
７２  スライドピン
Ｃ１、Ｃ２  凹状部分
θ１、θ２  曲げ内側の角度
【図１】
0003215919.tif 000003
【図２】
0003215919.tif 000004
【図３】
0003215919.tif 000005
【図４】
0003215919.tif 000006
【図５】
0003215919.tif 000007
【図６】
0003215919.tif 000008
【図７】
0003215919.tif 000009
【図８】
0003215919.tif 000010
【図９】
0003215919.tif 000011
【手続補正書】
【提出日】平成30年2月22日(2018.2.22)
【手続補正１】
【補正対象書類名】実用新案登録請求の範囲
【補正対象項目名】全文
【補正方法】変更
【補正の内容】
【実用新案登録請求の範囲】
【請求項１】
パレット上に複数の側板が周壁状に立設される組立形状下で前記複数の側板に取り囲まれた物品収容空間が形成される組み立て式コンテナであって、
前記側板が、外周枠部を有する枠材と、前記枠材の片面側に一体的に結合された側面材とを含んで構成されるとともに、前記外周枠部が、前記枠材の内周側に開く凹状の横断面形状をなしており、
前記組立形状下の前記側面材が、前記枠材に対して前記物品収容空間側から離れる外面側に位置するとともに、前記組立形状下の前記外周枠部が、前記物品収容空間側に近い内面側部分の内周縁側で前記側面材に最も近接する曲げ形状を有していることを特徴とする組み立て式コンテナ。
【請求項２】
前記外周枠部が、前記組立形状下の鉛直方向の上方側と下方側とで互いに異なる凹断面形状を有していることを特徴とする請求項１に記載の組み立て式コンテナ。
【請求項３】
前記外周枠部が、前記内面側部分の内周縁側よりも外周側に互いに平行な内外の平行面部を有していることを特徴とする請求項１または２に記載の組み立て式コンテナ。
【請求項４】
前記複数の側板が、前記組立形状下で四面の角筒状をなすとともに、互いに対面する一対の第１の側板と、該第１の側板の間で互いに対面する一対の第２の側板とによって構成されていることを特徴とする請求項１ないし３のいずれか一項に記載の組み立て式コンテナ。
【請求項５】
前記外周枠部が、前記組立形状下における鉛直方向上方側の前記内面側部分にて前記外面に対し略平行な平行部分と、該平行部分に一体に結合するとともに前記内周縁側に近付くほど前記側面材に近接するよう前記平行部分に対し傾斜した傾斜部分とを有していることを特徴とする請求項１ないし４のいずれか一項に記載の組み立て式コンテナ。
【請求項６】
前記外周枠部が、前記組立形状下における鉛直方向下方側の前記内面側部分にて前記外面に対し略平行な平行部分と、該平行部分に一体に結合するとともに前記内周縁側で前記側面材に近接するよう前記平行部分に対し略直交する直交部分とを有していることを特徴とする請求項１ないし４のいずれか一項に記載の組み立て式コンテナ。